【事件の表示】
　特願２００３−３４０９０３「チャンネル設定が容易な映像ディスプレイ装置」拒絶査定不服審判事件〔平成１６年　４月２２日出願公開、特開２００４−１２９２６３〕について、次のとおり審決する。
【結　論】
　本件審判の請求は、成り立たない。
【理　由】
１．手続の経緯、本願発明
　本願は、平成１５年９月３０日（パリ条約による優先権主張２００２年１０月１日、大韓民国）の出願であり、平成１７年１２月１２日付けで拒絶査定された。 
　本件は、前記拒絶査定を不服とする平成１８年３月１７日の審判の請求であり、本願の特許請求の範囲の請求項１ないし６に係る各発明は、平成１８年３月１７日付けの手続補正書によって補正された明細書および図面の記載からみて、請求項１ないし６に記載されたとおりのものと認められるところ、請求項１に記載された発明（以下「本願発明」という。）は次のとおりのものである。
「既に保存されたチャンネル情報に基づいてチャンネル設定が容易な映像ディスプレイ装置において、
　前記チャンネル情報を保存するチャンネル情報保存部と、
　前記チャンネル情報保存部に保存されたチャンネル情報に基づいて構成されたＯＳＤメニューをディスプレイするＯＳＤ表示部と、
　前記ＯＳＤメニューにディスプレイされたメニュー項目を照会して変更されたチャンネル情報に前記チャンネル情報保存部に保存されたチャンネル情報をアップデートする制御部とを含み、
　前記ＯＳＤ表示部によってディスプレイされる前記ＯＳＤメニューは、
　前記チャンネル情報に対応する放送チャンネルをディスプレイする放送チャンネル表示メニューと、
　前記放送チャンネル表示メニューを選択及び解除するためのチェックボックスメニューと、
　前記放送チャンネルに対応する周波数をディスプレイするための周波数表示メニューと、
　前記放送チャンネルに対応するチャンネル番号をディスプレイするためのチャンネルメニューとを含み、
　前記チャンネルメニューは、ユーザによって任意のチャンネル番号を付与できることを特徴とするチャンネル設定が容易な映像ディスプレイ装置。」
　
２．引用例
　これに対して、原査定の拒絶の理由で引用された特開２０００−１６５７６９号公報（以下「引用例１」という。）には、「選択チャンネル登録方法及び受信装置」（発明の名称）に関して、以下の記載がある。 
（ア）【発明の属する技術分野】
　本発明は選択チャンネル登録方法及び受信装置に関し、例えば通信衛星を介して配信されるディジタル衛星放送を受信する受信装置に適用して好適なものである。
【従来の技術】
　従来、映像信号をディジタル化し衛星を介して放送するディジタル衛星放送システムが開始されている。かかるディジタル衛星放送システムは、送信側において複数チャンネルの映像信号をそれぞれＭＰＥＧ（Moving Picture Experts Group）２方式を用いて圧縮符号化した後に多重化し、放送衛星を介して送信する。そして受信側において放送波をＩＲＤ（Integrated Receiver Decorder）と呼ばれる受信復号装置を用いて受信するようになされている。
　かかるディジタル衛星放送システムにおいては、１００〜２００チャンネルにも及ぶチャンネルが配信される。このような多チャンネルの中からユーザが所望のチャンネルを迅速に選局するのは困難であるため、ＩＲＤが有する所定のリストにユーザが所望の任意のチャンネルを予め登録しておき、ユーザはこのリスト（以下、これをお好みリストと呼ぶ）を用いて選局する、いわゆるお好みチャンネルと呼ばれる機能が存在する（明細書段落第【０００１】ないし【０００３】）。
　
（イ）図９はお好みチャンネル機能における、ユーザが任意のチャンネルをお好みリストに登録する場合に用いるお好み登録画面１００の例を示し、モニタ（図示せず）の画面中央に２０個（縦４個×横５個）のチャンネルアイコン１０１を有する表示ページ１０５が表示されている。チャンネルアイコン１０１はそれぞれディジタル衛星放送システムが配信するチャンネルに対応しており、各チャンネルアイコン１０１にはそれぞれチャンネル番号１０１Ａ、チャンネルのロゴマーク１０１Ｂ及びお好み登録チェックボックス１０１Ｃが設けられている。
　お好み登録画面１００は複数の表示ページ１０５を有しており、図９に示す表示ページ１０５では第１００チャンネル〜第１１９チャンネルの計２０チャンネル分のチャンネルアイコン１０１が表示されているが、他のページではこれ以外のチャンネルアイコン１０１が表示される。ユーザはＩＲＤのリモートコマンダ（図示せず）を操作し、所望のチャンネルのチャンネルアイコン１０１を含む表示ページ１０５を呼び出すことができるようになされている。ユーザはリモートコマンダを操作して所望のチャンネルのお好み登録チェックボックス１０１Ｃにチェックマーク１０１Ｄを付加することにより、チャンネル番号１０１Ａが示すチャンネルをお好みリストに登録する（明細書段落第【０００４】、【０００５】）。
　
（ウ）図１０はお好みチャンネル機能における、ユーザがお好みリストに登録されているチャンネルを選局する場合に用いるお好み一覧画面１１０の表示状態を示し、現在選局中のチャンネルの放送映像１８０の画面下部に、５個のお好みチャンネルアイコン１１１を有するお好み一覧画面１１０が表示されている。画面右上には、現在選局中のチャンネルのチャンネル番号１８０Ａ及びチャンネルのロゴマーク１８０Ｂが表示されている。ここでは、ディジタル衛星放送システムが配信するチャンネルの映像を一覧表示するプロモーションチャンネル（第２０１チャンネル）が選局されている。
　各お好みチャンネルアイコン１１１はそれぞれチャンネル番号１１１Ａ及びチャンネルのロゴマーク１１１Ｂを有している。ここに表示されているチャンネルは、お好みリストに登録されているチャンネルすなわちお好み登録画面（図９）においてチェックマーク１０１Ｄが付加されたチャンネルである。ユーザはリモートコマンダを用いてお好み一覧画面を呼び出し、所望のチャンネルのお好みチャンネルアイコン１１１を指定することにより、容易に選局を行うことができる（明細書段落第【０００６】、【０００７】）。
　
　上記（ア）ないし（ウ）の記載からすると、引用例１には、
「ユーザが所望の任意のチャンネルをお好みリストに登録しておき、このリストを用いて選局するいわゆるお好みチャンネルと呼ばれる機能を有する映像ディジタル衛星放送を受信する受信装置において、
　ユーザが任意のチャンネルを前記お好みリストに登録する場合、ディジタル衛星放送システムが配信するチャンネルに対応し、チャンネル番号１０１Ａ、チャンネルのロゴマーク１０１Ｂ及びお好み登録チェックボックス１０１Ｃが設けられたチャンネルアイコンを複数チャンネル分（例えば、第１００チャンネル〜第１１９チャンネルの計２０チャンネル）有するお好み登録画面１００をモニタに表示し、
　ユーザはリモートコマンダを操作して所望のチャンネルのお好み登録チェックボックス１０１Ｃにチェックマーク１０１Ｄを付加することにより、チャンネル番号１０１Ａが示すチャンネルをお好みリストに登録する映像ディジタル衛星放送を受信する受信装置」の発明（以下「引用発明」という。）が記載されているものと認められる。
　
３．対比
［３．１］本願発明と前記引用発明とを対比すると次のことが認められる。
（ａ）引用発明は、映像デジタル衛星放送を受信するモニタを備えた受信装置に係る発明であることから、本願発明と同様に「映像ディスプレイ装置」に係るものであるといえる。
　
（ｂ）引用発明では、ユーザが任意のチャンネルをお好みリストに登録する場合、ディジタル衛星放送システムが配信するチャンネルに対応したチャンネル番号１０１Ａ、チャンネルのロゴマーク１０１Ｂ及びお好み登録チェックボックス１０１Ｃが設けられたチャンネルアイコンを複数チャンネル分（例えば、第１００チャンネル〜第１１９チャンネルの計２０チャンネル）有するお好み登録画面１００をモニタに表示するのであるから、上記引用発明での複数チャンネル分のチャンネル番号１０１Ａ、チャンネルのロゴマーク１０１Ｂ等は受信装置が備える保存部（本願発明でいうチャンネル情報保存部）に保存されていることは明らかであり、また、上記お好み登録画面１００は、複数チャンネル分のチャンネル番号１０１Ａ、チャンネルのロゴマーク１０１Ｂ等に基づいて構成され、モニタに表示されるのであるから、引用発明での「お好み登録画面１００」、「モニタ」は、それぞれ、本願発明の「ＯＳＤメニュー」、「ＯＳＤ表示部」に相当することは明らかである。
　
（ｃ）引用発明は、ユーザはリモートコマンダを操作してモニタに表示されたお好み登録画面１００のチャンネルアイコンのうち所望のチャンネルのお好み登録チェックボックス１０１Ｃにチェックマーク１０１Ｄを付加することにより、チャンネル番号１０１Ａが示すチャンネルを登録するのであるから、上記チェックマークの付加等の変更がされると変更後のチャンネル情報がお好みリストに登録される、すなわち、登録されているお好みリストを変更後のチャンネル情報でアップデートするものであることは明らかであるから、引用発明は本願発明と同様に、「チャンネル設定が容易な」ものであり、また、「ＯＳＤメニュー（引用発明でいうお好み登録画面１００）にディスプレイされたメニュー項目（引用発明でいうチャンネルアイコン）を照会して変更されたチャンネル情報に保存されたチャンネル情報をアップデートする制御部を含む」ものといえる。
　もっとも、本願発明では、変更されたチャンネル情報のアップデートは、チャンネル情報保存部に保存されたチャンネル情報に対して行われるのに対し、引用発明では、登録されているお好みリストに対して行われる。
　
（ｄ）引用発明では、モニタに表示されるお好み登録画面１００（本願発明でいうＯＳＤメニュー）は、複数のチャンネルのチャンネルアイコンを含み、各チャンネルアイコンは各チャンネルのロゴマーク、チャンネル番号、お好み登録チェックボックス１０１Ｃを表示するのであるから、引用発明は本願発明と同様に、「ＯＳＤ表示部（引用発明でいうモニタ）によってディスプレイされるＯＳＤメニュー（引用発明でいうお好み登録画面１００）は、チャンネル情報に対応する放送チャンネル（引用発明でいうチャンネルのロゴマーク）をディスプレイする放送チャンネル表示メニューと、放送チャンネル表示メニューを選択及び解除するためのチェックボックスメニュー（引用発明でいうお好み登録チェックボックス）と、放送チャンネルに対応するチャンネル番号をディスプレイするためのチャンネルメニューとを含」んでいることは明らかである。
　もっとも、本願発明では、上記ＯＳＤメニューが、前記放送チャンネルに対応する周波数をディスプレイするための周波数表示メニューを含んでいるのに対し、引用発明のお好み登録画面１００は、そのような周波数表示メニューは含んでいない。
　また、本願発明では、上記チャンネル番号をディスプレイするためのチャンネルメニューが、ユーザによって任意のチャンネル番号を付与できるのに対し、引用発明では、そのようになっていない。
　
［３．２］一致点・相違点 
　以上のことからすると、本願発明と引用発明との一致点および相違点は、下記のとおりである。 
　（一致点） 
「既に保存されたチャンネル情報に基づいてチャンネル設定が容易な映像ディスプレイ装置において、
　前記チャンネル情報を保存するチャンネル情報保存部と、
　前記チャンネル情報保存部に保存されたチャンネル情報に基づいて構成されたＯＳＤメニューをディスプレイするＯＳＤ表示部と、
　前記ＯＳＤメニューにディスプレイされたメニュー項目を照会して変更されたチャンネル情報に保存されたチャンネル情報をアップデートする制御部とを含み、
　前記ＯＳＤ表示部によってディスプレイされる前記ＯＳＤメニューは、
　前記チャンネル情報に対応する放送チャンネルをディスプレイする放送チャンネル表示メニューと、
　前記放送チャンネル表示メニューを選択及び解除するためのチェックボックスメニューと、
　前記放送チャンネルに対応するチャンネル番号をディスプレイするためのチャンネルメニューとを含むことを特徴とするチャンネル設定が容易な映像ディスプレイ装置。」
　
　（相違点１）
　本願発明では、変更されたチャンネル情報のアップデートが「チャンネル情報保存部に保存されたチャンネル情報」に対して行われるのに対し、引用発明では、登録されているお好みリストに対して行われる点。
　
　（相違点２）
　本願発明では、「ＯＳＤメニュー」が、「前記放送チャンネルに対応する周波数をディスプレイするための周波数表示メニュー」を含んでいるのに対し、引用発明では、周波数表示メニューは含んでいない点。
　
　（相違点３）
　本願発明では、「チャンネル番号をディスプレイするためのチャンネルメニュー」が、「ユーザによって任意のチャンネル番号を付与できる」のに対し、引用発明では、そのようになっていない。
　
４．判断 
　そこで上記相違点について検討する。
（相違点１）について
　引用発明では、チェックマークが付加されたチャンネル番号が示すチャンネルを登録するお好みリストが、受信装置の所定の保存部に保存されることは明らかであり、また、前記チェックマークの付加の変更がされると変更後のお好みリストも前記所定の保存部に保存されることも明らかであるから、引用発明において、お好みリストが保存される前記所定の保存部を、上記チャンネル情報を保存するチャンネル情報保存部と共通にすることは、当業者が困難性なくなし得たことと認められる。
　したがって、引用発明において、相違点１に係る構成を採ることは、当業者が容易に想到し得たことである。
　
（相違点２）について 
　相違点２に係る本願発明の構成は、ＯＳＤメニューに、放送チャンネル表示メニューと、チェックボックスメニューと、チャンネルメニューに加えて、放送チャンネルに対応する周波数をディスプレイするための周波数表示メニューを含むようにしたものであるところ、引用発明は、ユーザが所望の任意のチャンネルをお好みリストに登録しておき、このリストを用いて選局するものであることから、選局に必要な放送チャンネルに対応する周波数の情報を有していることは明らかであり、一方、受信装置において、放送チャンネルに対応する周波数を表示することは周知の事項であることからすると、引用発明において、ユーザが任意のチャンネルを前記お好みリストに登録する際に表示する各チャンネルのチャンネルアイコンにおいて、チャンネル番号１０１Ａ、チャンネルのロゴマーク１０１Ｂ及びお好み登録チェックボックス１０１Ｃに加えて、放送チャンネルに対応する周波数も表示するように構成することは、当業者が困難性なくなし得たことと認められる。
　したがって、引用発明において、相違点２に係る構成を採ることは、当業者が容易に想到し得たことである。
　
（相違点３）について 
　複数チャンネルの映像信号を受信する受信装置において、所定のチャンネルに対して任意のチャンネル番号を付与することは、チャンネルプリセット等で開示されるように周知の事項（例えば、特開平１１−３２２６２号公報、特開平１０−２３３９６９号公報等参照）である。そうすると、上記相違点３に係る構成は、引用発明において、上記周知の事項を採用することにより、当業者が容易になし得たことである。 
　
（効果等）について
　本願発明の効果も引用例１の記載及び上記周知の事項から当然に予測される程度のものにすぎず、各相違点を総合しても格別顕著なものがあるとは認められない。 
 　 
５．むすび
　以上のとおりであるから、本願の請求項１に係る発明は、引用例１に記載された発明および周知の事項に基づいて当業者が容易に発明をすることができたものであり、特許法第２９条第２項の規定により特許を受けることができない。
　したがって、本願の他の請求項について検討するまでもなく、本願は拒絶されるべきものである。
　よって、結論のとおり審決する。